(57)【要約】【課題】挿入部が長尺の場合にもコンパクトに収納でき、携帯性の良い内視鏡収納ケースを提供する。【解決手段】内視鏡収納ケースに収納される収納部材４には、内視鏡５の長尺な挿入部６が巻き付けられたドラム３を収納するドラム収納溝部４ｂ、操作部７を収納する操作部収納溝部４ａ、コネクタ９を収納するコネクタ収納溝部４ｃ等が略同一平面上に形成され、内視鏡５をコンパクトに収納して、携帯移動し易くしている。【選択図】図３
2010026321.tif 000002
【特許請求の範囲】
【請求項１】
可撓性を有する長尺の挿入部とコネクタ部とを有する内視鏡を収納する内視鏡収納ケースにおいて、
前記挿入部を巻回収納する巻回部と、
前記内視鏡収納ケースに収納され、略長方形状の緩衝部材を用いて形成され、前記挿入部が巻き付けられた前記巻回部を収納する巻回部収納溝部と、前記巻回部収納溝部に隣接して設けられ、前記コネクタ部を収納するコネクタ収納溝部と、が略同一平面上に設けられた収納部材と、
を備えたことを特徴とする内視鏡収納ケース。
【請求項２】
前記巻回部は、ドラムであることを特徴とする請求項１記載の内視鏡収納ケース。
【請求項３】
前記ドラムは、前記巻回部の外周面に前記挿入部の先端部を着脱自在に保持する先端部保持部材を有し、該先端部保持部材に前記挿入部の先端部が保持された状態で前記挿入部を前記巻回部に巻回し、前記ドラム収納溝部に収納されることを特徴とする請求項２に記載の内視鏡収納ケース。
【請求項４】
前記ドラムは、前記巻回部に前記挿入部を少なくとも複数回、前記巻回部の半径方向に積層して巻回可能とするように前記巻回部の両端に前記挿入部の外径の少なくとも２倍以上、半径外側方向に突出するフランジ部を有することを特徴とする請求項２又は３に記載の内視鏡収納ケース。
【請求項５】
前記ドラムは、所定の直径を有すると共に、内側に前記所定の直径より小さい中空孔部が形成され、前記ドラム収納溝部には、該中空孔部に嵌合する凸部が形成されていることを特徴とする請求項２から４のいずれか１つの請求項に記載の内視鏡収納ケース。
【請求項６】
前記凸部には、前記内視鏡による検査の際に使用される内視鏡周辺部品を収納する内視鏡周辺部品収納溝部が設けられていることを特徴とする請求項５に記載の内視鏡収納ケース。
【発明の詳細な説明】
【技術分野】
【０００１】
本発明は、挿入部が巻回されるドラムを用いて内視鏡を収納する内視鏡収納ケースに関する。
【背景技術】
【０００２】
内視鏡は、医療用分野及び工業用分野において広く利用されている。医療用分野において使用される内視鏡は、細長な挿入部を体腔内に挿入することによって、体腔内の臓器を観察すること、或いは、必要に応じて挿入部に設けられた処置具チャンネルを介して体腔内に処置具を導入することによって各種処置や検査を行っている。  
一方、工業用分野において使用される内視鏡は、細長な挿入部をジェットエンジン内、工場の配管等に挿入することによって、被検部位の傷の有無、或いは腐蝕の有無の観察、或いは各種修理等を行っている。  
工業用内視鏡と医療用内視鏡とで異なる点としては、検査対象が特定の使用環境にないことが挙げられる。詳述すると、医療用内視鏡は病院内での使用が主であるのに対し、工業用内視鏡は逆に様々な現場に検査者が赴き使用される場面が多い。
【０００３】
このような場合に対応するために、内視鏡を内視鏡収納ケースに収納して持ち運びし易くするものがある。  
例えば、特許文献１（実開昭５８-１７２９０５号公報）には、内視鏡の挿入部を、ドラムにおける円柱状の巻回部に巻回し、この挿入部を巻回したドラムを収納ケース内の収納部に設けた溝部内に収納する構造の内視鏡収納ケースが開示されている。  
この場合、巻回部として、挿入部をコイル状に単層巻きで巻回できるように円柱の長手方向にかなりの厚みが形成されている。  
また、この厚みを有するドラムの巻回部における一方の側面には、内視鏡本体部分を嵌め込む溝部が設けられている。
【特許文献１】実開昭５８-１７２９０５号公報
【発明の開示】
【発明が解決しようとする課題】
【０００４】
しかしながら、工業用の内視鏡は、ケースに収納した状態で検査現場まで持ち運ぶ場面も多い。検査現場によっては、例えば足場の悪い場所、狭い場所、不安定な場所も多い。  さらに、使用現場又は検査対象によっては、検査現場まで運び込んだ工業用内視鏡（以下、内視鏡）以外に、別の内視鏡が必要になる場合がある。  
例えば、検査現場に持ち込んだ内視鏡の挿入部が太径で検査ができないとき、細径の挿入部を備えた内視鏡が必要になる場合、又は内視鏡の挿入部が細径で照明光量が不足しているので、より光量を得られる太径の挿入部を備えた内視鏡が必要になる場合、又は内視鏡の挿入部の長さが短いので、長い挿入部を備えた内視鏡にしたい場合、又はチャンネルなしの内視鏡からチャンネル付き内視鏡にしたい場合などが挙げられる。
【０００５】
上述した状況下で、上記従来例に開示される内視鏡ケースでは、例えばドラムの側面に内視鏡本体を収納する溝部を設ける構造にしているので、内視鏡収納ケースが嵩張る欠点があった。また、挿入部を巻回部に単層巻きで巻き付ける構造であるため、やはり内視鏡収納ケースの厚みが大きくなり、内視鏡収納ケースが嵩張る欠点があった。  
このため、嵩張る事無く、携帯移動に適するようにコンパクトに内視鏡を収納できる内視鏡収納ケースが望まれる。  
本発明は上記事情に鑑みてなされたものであり、挿入部がコンパクトに収納でき、携帯性の良い内視鏡収納ケースを提供することを目的とする。
【課題を解決するための手段】
【０００６】
本発明は、可撓性を有する長尺の挿入部と、前記挿入部の後端に連設された操作部と、前記操作部から延出された可撓性のケーブル部とを有する内視鏡を収納する内視鏡収納ケースにおいて、
前記挿入部の巻き付けが可能な円環形状の巻回部が設けられたドラムと、
前記内視鏡収納ケースに収納され、肉厚が小さい略長方形状の緩衝部材を用いて形成され、前記挿入部が巻き付けられたドラムを収納するドラム収納溝部と、前記ドラム収納溝部に隣接して設けられ、前記操作部を収納する操作部収納溝部と、前記ケーブル部の端部に連設されたコネクタ部を収納するコネクタ収納溝部と、が略同一平面上に設けられた収納部材と、
を備えたことを特徴とする。
【発明の効果】
【０００７】
本発明によれば、挿入部が長尺の場合にもコンパクトに収納でき、携帯性の良い内視鏡収納ケースを実現できる。
【発明を実施するための最良の形態】
【０００８】
以下、図面を参照して本発明の実施例を説明する。  
（実施例１）
図１から図８は本発明の実施例１に係り、図１は本発明の実施例１の内視鏡収納ケースを、収納される内視鏡等の収納物と共に示し、図２は内視鏡の構成を示し、図３は各溝部に挿入部が巻回されたドラムと内視鏡の各部が収納された状態の収納部材を示し、図４はドラムに挿入部の先端部を固定する様子を示し、図５はドラムに挿入部が多層に巻回された構造を示し、図６は挿入部が巻回されたドラムを操作部に引っ掛けるようにして保持する様子を示し、図７は内視鏡の操作部と該内視鏡が取り付けられる装置本体とを示し、図８は内視鏡と該内視鏡が取り付けられた装置本体とからなる内視鏡装置と、その内視鏡装置を収納する収納ケースを示す。  
本実施例の内視鏡収納ケースは、挿入部を巻回する手段としてドラムを用いているので、挿入部が長尺であっても、携帯性に適したコンパクトな状態で内視鏡を収納できるようにした。また、収納等を行う際の良好な作業性又は操作性を確保する。
【０００９】
図１に示すように本発明の実施例１の内視鏡収納ケース１は、内視鏡５等の収納物を収納する内視鏡収納ケース本体（ケース本体と略記）２と、内視鏡５の挿入部６を巻回した状態で収納するためのドラム３と、挿入部６が巻回されたドラム３と共に内視鏡５等を溝部に収納してケース本体２に収納される収納部材４とを備える。  
なお、図１においては、収納部材４をケース本体２に収納した状態で示している。また、図１においては、この収納部材４に形成された複数の溝部にそれぞれ収納される各部を矢印の先に示している。  
ケース本体２は、内視鏡５等の収納物を収納する収納部が形成された箱形状のケース本体部２ａと、このケース本体部２ａの上面の開口に蓋をする開閉自在なケース上蓋２ｂとを有する。
【００１０】
このケース本体２に（収納部材４により緩衝的に保持されて）収納される内視鏡５は、パイプ内部やエンジン内部に挿入される可撓性を有する長尺の挿入部６と、この挿入部６の後端に連設された操作部７と、この操作部７から延出された可撓性のユニバーサルケーブル部（単にケーブル部と略記）８と、このケーブル部８の端部に設けられたコネクタ９とを有する。このコネクタ９は、図示しない装置本体に着脱自在に接続される。  
なお、図２においては、図１に示す挿入部６をドラム３に巻回した状態で内視鏡５の各部を示している。  
また、挿入部６は、図１、図４等に示すように、その先端に設けられた先端部１１と、この先端部１１の後端に設けられた湾曲自在の湾曲部１２と、この湾曲部１２の後端から操作部７の前端に至る長尺で可撓性を有する可撓部１３とを有する。そして、ユーザは、操作部７を操作することにより、湾曲部１２を湾曲することができる。
【００１１】
なお、例えば図１に示すように先端部１１に、光学アダプタ１４が着脱自在に取り付けられる内視鏡５の場合もある。そして、先端部１１に取り付ける光学アダプタ１４を交換することにより、異なる光学特性で内視鏡検査（単に検査ともいう）を行うことができる。  
上記先端部１１には、図示しない照明窓と観察窓とが設けられ、照明窓には照明手段としての発光ダイオード（ＬＥＤと略記）が設けられ、観察窓には対物レンズと撮像素子とが設けられている。  
内視鏡装置は、先端に撮像素子を備えた挿入部６と、挿入部６の基端側に接続され、撮像素子の出力信号に対する信号処理を行う信号処理装置（ＣＣＵ）を内部に備えたコネクタ９と、からなる内視鏡５と、図７に示すようにコネクタ９が着脱自在に接続される装置本体３４と、映像信号を表示する表示装置３５と、を備えて構成される。
【００１２】
また、この装置本体３５は、先端部１１に配置されたＬＥＤを発光させる駆動回路（駆動電源を含）も内蔵している。  
図３は、内視鏡５を溝部に収納した状態の収納部材４を示す。  
収納部材４は、このケース本体部２ａの収納部内に嵌合して収納できるように厚みが小さい長方形状の緩衝部材を用いて、内視鏡５の操作部７を収納する操作部収納溝部４ａと、挿入部６が巻回されたドラム３を収納するドラム収納溝部４ｂと、コネクタ９を収納するコネクタ収納溝部４ｃ等がケース本体部２ａに対して略同一平面上に形成されている。  なお、図１に示す例では、ケース本体部２ａ側に嵌入して収納される収納部材４の他に、ケース上蓋２ｂ側にも補助的な溝部を設けた緩衝部材４′を設けた例で示している。ケース本体部２ａ側に収納される収納部材４のみに溝部を設けるようにしても良い。
【００１３】
ドラム３は図３等に示すように円環形状ないしは（長さが短い）円筒形状であり、中央部分が貫通する中空孔部３ａが形成されている。  
そして、ドラム収納溝部４ｂには、この中空孔部３ａに嵌入して、位置決め状態で保持する凸部４ｄが形成されている。また、この凸部４ｄには、さらにステレオ計測を行う場合に用いられる計測部品１５（図１参照）を収納する計測部品収納溝部４ｅが設けられている。  
また、収納部材４には、ドラム収納溝部４ｂ及びコネクタ収納溝部４ｃに隣接する部分に光学アダプタ１４を収容する（図１に示す）光学アダプタケース１６を収納するケース収納溝部４ｆが設けられている。  
また、収納部材４には、その中央付近にはレンズクリーニングキット１７（図１参照）を収納するレンズクリーニングキット収納溝部４ｇが設けられている。
【００１４】
この他に収納部材４には、コネクタ収納溝部４ｃに隣接する部分等にリジッドスリーブ１８ａ、１８ｂを収納する溝部４ｈ、４ｉが設けられている。  
なお、コネクタ９は、通常は図１に示すコネクタ収納袋１９内に収納されてコネクタ収納溝部４ｃに収納される。  
また、ケース上蓋２ｂ側には、マニュアル２１を収納するマニュアル収納部２０等が設けられている。  
図３を用いて、上述したようにケース本体部２ａに対して、内視鏡５の操作部７とドラム３とコネクタ９を略同一平面上に配置したことで、従来の内視鏡ケースに比べ、使用現場又は検査環境に応じて交換したい内視鏡のみ収納することで持ち運び性を実現すると共に、コンパクトに収納することができる。
【００１５】
また、ドラム３による収納により、挿入部６の長さに関係なく収納ができる他、内視鏡装置のケースに収納されている装置本体３４に装着されている内視鏡５と、内視鏡ケースに収納された内視鏡とを、従来ケースに多く見られる溝等に挿入部を嵌め込み収納する場合に比べて、ドラム３ごと挿入部を入れ替える作業だけで良いことから、内視鏡の交換作業もより簡易にすることができる。  
詳述すると、図１に示す内視鏡収納ケース１から内視鏡５を、挿入部６が巻回されたドラム３と共に、収納部材４から取り外し、例えば内視鏡装置（図７参照）を収納する収納ケース４１（図８参照）に移し替える場合、収納ケース４１に収納された内視鏡装置から、装置本体３４からコネクタ９を取り外すことで、内視鏡をドラム３に挿入部６が巻回されたままの状態で取り外される。次いで、内視鏡が取り外された装置本体３４に、内視鏡収納ケース１に収納された内視鏡５がドラム３に挿入部６を巻回したままの状態で取りつけられる。
【００１６】
このように、内視鏡の交換作業時に挿入部をドラムから外すことなく、ドラムごと交換できるので、作業性が良い。なお、図８の例では、内視鏡と装置本体用の収納部材４３に内視鏡５及び装置本体３４をセットして収納ケース４１に収納する構成である他、ドラム３をドラム収納ポケット４４に収納する構成を使用している。  
次に図４を参照して、ドラム３の構造及びその機能を説明する。図４に示すようにドラム３は、硬質部材、例えば樹脂製の硬質部材で形成され、中空孔部３ａが設けられた円環（又は短い円筒）形状であって、その外周面には挿入部６が巻回される巻回部３ｂが設けられている。この巻回部３ｂの両側には巻回部３ｂから半径外側に突出するフランジ部３ｃが形成され、両フランジ部３ｃは、巻回部３ｂに巻回された挿入部６を（この巻回部３ｂから外れないように）規制している。
【００１７】
つまり、ドラム３には、両側のフランジ部３ｃにより凹溝形状の巻回部３ｂが形成されている。また、この巻回部３ｂを形成する円環面、換言すると凹溝底面には挿入部６の先端部１１を保持する先端部保持部材２３が弾性を有するリボン或いはゴムバンド等により設けられている。  
そして、ユーザは、挿入部６の先端部１１をこの先端部保持部材２３の内側に押し込む簡単な作業をすることにより、先端部１１は先端部保持部材２３の弾性力により、巻回部３ｂに弾性的に保持（固定）される。  
そして、ユーザは、上記のように先端部１１を先端部保持部材２３により固定した後、挿入部６をワイヤのように巻回部３ｂに巻回することにより、長尺の挿入部６をドラム３に簡単に巻き付ける作業を行うことができる。つまり、良好な作業性を確保している。
【００１８】
先端部１１には、図示しない対物光学系や、この対物光学系の結像位置に配置された図示しない撮像素子が搭載されているため、上記のようにまず先端部１１をドラム３に固定した後、挿入部６をドラム３に巻き付ける作業を行うと、巻回の作業中に先端部１１を周囲に当て付けてしまうようなことを確実に防止できて好都合である。  
換言すると、従来の収納方式では、挿入部６の先端部１１でなく反対側となる基端側から固定する作業を行う場合には、先端部１１がドラム３の周辺で巻回の度に不定期に動かされるため、ユーザは先端部１１を周辺部に当てないように注意して巻回作業を行う必要がある。  
これに対して、本実施例のように挿入部６の先端部１１を最初に保持する構成にしているので、ユーザはそのような注意を払うことを必要としないで、挿入部６を簡単に巻回することができ、巻回などの作業の際の操作性を向上できる。
【００１９】
また、本実施例におけるドラム３の巻回部３ｂを構成する凹溝の深さは、挿入部６の直径の数倍から数十倍のサイズに設定されており、挿入部６を多層に、つまり挿入部６をドラム３の半径方向に積層して巻回することができるようにしている。  
なお、巻回部３ｂの幅は、挿入部６を複数回程度、巻回することができれば良い。  
図５はドラム３の巻回部３ｂに挿入部６を積層構造で巻回した様子を示す。図５に示すようにドラム３の（１点鎖線で示す）中心から巻回部３ｂの表面の半径をＲａ、また挿入部６の直径をｄとすると、フランジ部３ｃの最外周の端部の半径Ｒｆは、Ｒｆ＞Ｒａ＋２×ｄ（＝Ｒｂ）である。  
つまり、フランジ部３ｃの最外周の端部は、巻回部３ｂの半径Ｒａから挿入部６を少なくとも２層巻きした場合の（挿入部６の）最外周面（図５ではＲｂで示す）よりも半径外側に突出する大きさに設定されている。
【００２０】
このように挿入部６を積層して巻回する構造とすることにより、上述した従来例の場合よりもドラム３をコンパクトにでき、かつ長尺の挿入部６の場合にも、同じサイズのドラム３を用いて収納部材４のドラム収納溝部４ｂに収納することができるようになる。  
なお、従来例では、挿入部を積層ではなく、単層巻きにしているので、ドラムの巻回部の幅が大きくなってしまうが、本実施例では積層して巻回することにより、ドラム３の幅は挿入部６を複数回程度、巻回できる程度で済む。  
そして、このように挿入部６が長尺の場合でも多層構造で巻回できるドラム３を採用することにより、そのような長尺の場合においてもその挿入部６を巻回したドラム３を収納部材４のドラム収納溝部４ｂにコンパクトに収納できる。
【００２１】
また、本実施例におけるドラム３には、中空孔部３ａが形成されており、この中空孔部３ａの内側に計測部品１５を収納可能な構造にして、内視鏡５及びその周辺部品をコンパクトに収納可能な構造にしている。  
また、本実施例においては、ドラム３の中空孔部３ａを、図６に示すように操作部７における一部を通すことが可能なサイズに設定してあり、操作部７の一部に引っ掛けて、挿入部６が巻回されたドラム３を保持できるようにしている。  
図６に示すように操作部７は、操作部本体２５と、操作ワイヤ配設部２６と、把持部２７と、側部構成部２８Ｌ、２８Ｒとを備えて構成されている。操作部本体２５の天面（上面ともいう）には湾曲部１２を湾曲動作させる操作指示機構である湾曲操作指示レバー（以下、湾曲指示レバーと略記する）３０が設けられている。
【００２２】
湾曲レバー３０は、傾倒方向および傾倒角度を変化させる傾倒操作を行うことによって挿入部６内および操作部７内に挿通されている図示しない牽引部材としてのワイヤを移動させて、湾曲部１２を所望の方向に所望の湾曲量だけ湾曲させることができる。  
操作部本体２５の正面部３１には、挿入部先端６を保持する保持部を備えた保持部材３２が設けられている。保持部材３２は、操作部本体２５に対して別体であって、例えば、接着剤、ネジ等によって該操作部本体２５に一体的に固定される。  
操作部本体２５の天面から突出する保持部材３２の上端側部中央には保持部となる保持孔３３が形成されている。保持孔３３の内径は、挿入部６の外径より所定寸法だけ大きく形成されており、保持孔３３に挿入部６の先端側部である先端部１１、湾曲部１２、あるいは可撓部１３の先端側が挿通されることによって、該挿入部６を保持部材３２によって保持することができる。
【００２３】
また、この固定状態において、保持部材３２の上端側は、操作部本体２５の天面から所定量、突出して設けられ、湾曲レバー３０を保護するガード部材を兼ねている。  
また、本実施例においては、図６に示すようにドラム３に中空孔部３ａを設けることで、ケース本体に対する着脱を容易化する以外に、ケース本体から外した状態で保持部材３２付近に引っ掛けることができる。このようにすることにより、ユーザは、挿入部６をドラム３に巻回した状態で移動や検査を行うこともできる。  
挿入部６が長尺の場合、その挿入部６を検査対象物としてのパイプ等の深部側にまで挿入していないと、ユーザの周囲に長尺の挿入部６が配置された状態となってしまうが、ドラム３に巻回しておくと挿入部６をコンパクトな状態に設定できると共に、ユーザは把持部２７を把持して移動もし易い。  
このように本実施例によれば、長尺の挿入部６を扁平なドラム３に多層に巻回して、その巻回したドラム３を収納部材４のドラム収納溝部４ｂに収納することにより簡単な作業で長尺の挿入部６をケース本体２内に収納できる。  
また、長さが異なる長尺の挿入部６の内視鏡５の場合であっても、同じドラム３と同じ収納部材４とを用いて、コンパクトにケース本体２内に収納できる。
【００２４】
また、ドラム３に挿入部６の先端部１１を保持する先端部保持部材２３が設けてあるので、挿入部６をドラム３の巻回部３ｂに巻回する作業を容易に、つまり良好な操作性で行うことができる。  
また、ドラム３の中空孔部３ａの内側のスペースを、内視鏡周辺部品の収納部に利用することができ、コンパクトに収納できる。  
また、ドラム３の中空孔部３ａを内視鏡５の操作部７に引っ掛けられるようにしているので、内視鏡５をケース本体２から取り出した状態においても、内視鏡５の携帯移動や検査の際の挿入部６の取り扱いが容易となる。
【００２５】
以上のように、本発明により、従来、使用現場又は検査対象によっては、検査現場まで持ち込んだ内視鏡以外の内視鏡が必要になったとしても、検査現場まで異なる種類（例えば、短尺に対して長尺、太径に対して細径、チャンネル無に対してチャンネル付き）の内視鏡を収納した内視鏡ケースを持ち込むことができると共に、交換のための操作性の良さも実現できる。  
なお、本発明は、上述した実施の形態に限られるものではなく、発明の趣旨を逸脱しない範囲で種々変形可能である。  
たとえば、上述した実施例では、挿入部の収納にドラムを使用していたが、これに限られるものではなく、巻回できるものであれば、筒状のものでなくてもよく、また外周に巻く以外、内周に挿入部が押し付けられるように巻回収納するようなものであってもよい。
【産業上の利用可能性】
【００２６】
検査対象物の付近まで内視鏡を収納して携帯移動する。
【図面の簡単な説明】
【００２７】
【図１】図１は本発明の実施例１の内視鏡収納ケースを、収納される内視鏡等の収納物と共に示す図。
【図２】図２は内視鏡の構成を挿入部が巻回されるドラムと共に示す斜視図。
【図３】図３は各溝部に挿入部が巻回されたドラムと内視鏡の各部を収納した状態の収納部材を示す斜視図。
【図４】図４はドラムに挿入部の先端部を固定する様子を示す説明図。
【図５】図５はドラムに挿入部が多層に巻回された概略を示す説明用断面図。
【図６】図６は挿入部が巻回されたドラムを操作部に引っ掛けて保持する様子を示す図。
【図７】図７は内視鏡の操作部と該内視鏡が取り付けられる装置本体とを示す斜視図。
【図８】図８は内視鏡と該内視鏡が取り付けられた装置本体とからなる内視鏡装置と、その内視鏡装置を収容する収納ケースを示す斜視図。
【符号の説明】
【００２８】
１…内視鏡収納ケース、２…ケース本体、３…ドラム、３ａ…中空孔部、３ｂ…巻回部、３ｃ…フランジ部、４、４０…収納部材、４ａ…操作部収納溝部、４ｂ…ドラム収納溝部、４ｃ…コネクタ収納溝部、４ｊ…装置本体収納溝部、５…内視鏡、６…挿入部、７…操作部、９…コネクタ、１１…先端部、１２…湾曲部、１４…光学アダプタ、２３…先端部保持部材
【図１】
2010026321.tif 000003
【図２】
2010026321.tif 000004
【図３】
2010026321.tif 000005
【図４】
2010026321.tif 000006
【図５】
2010026321.tif 000007
【図６】
2010026321.tif 000008
【図７】
2010026321.tif 000009
【図８】
2010026321.tif 000010